(57)【要約】【課題】ヘッド本体にフェースインサートを装着したパターヘッドであって、ボールをヒットしたときの打感が柔らかいとともに、打音が硬く（高く）、したがってパットの距離感をつかみやすいパターヘッドを提供する。【解決手段】フェースインサート１０として、打面を形成する高硬度部分１２と、高硬度部分の内面に接合され、高硬度部分よりも硬度が低い低硬度部分１４とからなり、かつ、高硬度部分が、中央部から周辺部に向かうにしたがい厚さが薄くなるか、中央部から周辺部に向かうにしたがい厚さが厚くなるものを用いる。【選択図】      図２
2007117635.tif 000002
【特許請求の範囲】
【請求項１】
ヘッド本体のフェース部にフェースインサートを装着したパターヘッドにおいて、前記フェースインサートは、打面を形成する高硬度部分と、前記高硬度部分の内面に接合された前記高硬度部分よりも硬度が低い低硬度部分とからなり、かつ、前記高硬度部分は、中央部から周辺部に向かうにしたがい厚さが薄くなることを特徴とするパターヘッド。
【請求項２】
ヘッド本体のフェース部にフェースインサートを装着したパターヘッドにおいて、前記フェースインサートは、打面を形成する高硬度部分と、前記高硬度部分の内面に接合された前記高硬度部分よりも硬度が低い低硬度部分とからなり、かつ、前記高硬度部分は、中央部から周辺部に向かうにしたがい厚さが厚くなることを特徴とするパターヘッド。
【請求項３】
高硬度部分のショアＤ硬度が３０以上、低硬度部分のショアＤ硬度が１０以上、高硬度部分のショアＤ硬度と低硬度部分のショアＤ硬度との差が５以上であることを特徴とする請求項１または２に記載のパターヘッド。
【請求項４】
高硬度部分および低硬度部分の一方または両方がエラストマーにより形成されていることを特徴とする請求項１〜３のいずれか１項に記載のパターヘッド。
【請求項５】
高硬度部分および低硬度部分の一方または両方がウレタン樹脂により形成されていることを特徴とする請求項１〜３のいずれか１項に記載のパターヘッド。
【発明の詳細な説明】
【技術分野】
【０００１】
本発明は、ヘッド本体のフェース部にフェースインサートを装着したパターヘッドに関する。
【背景技術】
【０００２】
従来、ヘッド本体のフェース部に、ヘッド本体とは別の材料からなるフェースインサートを装着したパターヘッドが提案されている。例えば、特許文献１には、ヘッド本体のフェース部に、ゴム弾性体層と焼結金属層とフッ素樹脂層との一体積層構造のフェースインサートを装着したパターヘッドが記載されている。また、特許文献２には、ヘッド本体のフェース部に、ヘッドのスイートスポット近傍側から周縁側に近づくにつれて肉厚が増大する弾性体製フェースインサートを装着したパターヘッドが記載されている。
【０００３】
【特許文献１】特開２００４−２３６９８５号公報
【特許文献２】特開２００５−１２４７３０号公報
【発明の開示】
【発明が解決しようとする課題】
【０００４】
前述したヘッド本体にフェースインサートを装着したパターヘッドは、通常、フェースインサートによってボールをヒットしたときの打感を柔らかくすることを目的としている。
【０００５】
しかし、従来のヘッド本体にフェースインサートを装着したパターヘッドでは、フェースインサートによって打感が柔らかくなる一方、打音が鈍く（低く）なり、パットの距離感をつかみにくくなることがあった。
【０００６】
本発明は、前述した事情に鑑みてなされたもので、ヘッド本体にフェースインサートを装着したパターヘッドであって、ボールをヒットしたときの打感が柔らかいとともに、打音が硬く（高く）、したがってパットの距離感をつかみやすいパターヘッドを提供することを目的とする。
【課題を解決するための手段】
【０００７】
本発明は、前記目的を達成するため、第１発明として、ヘッド本体のフェース部にフェースインサートを装着したパターヘッドにおいて、前記フェースインサートは、打面を形成する高硬度部分と、前記高硬度部分の内面に接合された前記高硬度部分よりも硬度が低い低硬度部分とからなり、かつ、前記高硬度部分は、中央部から周辺部に向かうにしたがい厚さが薄くなることを特徴とするパターヘッドを提供する。
【０００８】
また、本発明は、前記目的を達成するため、第２発明として、ヘッド本体のフェース部にフェースインサートを装着したパターヘッドにおいて、前記フェースインサートは、打面を形成する高硬度部分と、前記高硬度部分の内面に接合された前記高硬度部分よりも硬度が低い低硬度部分とからなり、かつ、前記高硬度部分は、中央部から周辺部に向かうにしたがい厚さが厚くなることを特徴とするパターヘッドを提供する。
【０００９】
第１発明および第２発明のパターヘッドでは、打面（ゴルフボールを直接打撃する面）を形成する高硬度部分の硬度が高いため、この高硬度部分によって硬い（高い）打音を得ることができ、したがってパットの距離感をつかみやすい。また、上記高硬度部分の内面に接合された低硬度部分の硬度が高硬度部分よりも低いため、この低硬度部分によって柔らかい打感を得ることができる。
【００１０】
さらに、第１発明のパターヘッドでは、高硬度部分の厚さが中央部から周辺部に向かうにしたがい薄くなるので、フェースインサートの周辺部分が柔らかく、そのため、フェースインサートの周辺部分でゴルフボールを打撃したときでも、柔らかい打感を得ることができるとともに、周辺部分にも高硬度部分が存在するため、硬い打音を得ることができる。第２発明のパターヘッドでは、高硬度部分の厚さが中央部から周辺部に向かうにしたがい厚くなるので、フェースインサートの周辺部分が硬く、そのため、フェース面の周辺部分でゴルフボールを打撃したときでも、硬い打音を得ることができるとともに、周辺部分にも低硬度部分が存在するため、柔らかい打感を得ることができる。したがって、第１発明および第２発明のパターヘッドによれば、フェースインサートの中央部分（センター）および周辺部分（オフセンター）でゴルフボールを打撃したときの打感、打音をコントロールすることができる。
【００１１】
以下、本発明につきさらに詳しく説明する。本発明において、ヘッド本体の材質としては、例えば、ステンレススチール、アルミニウム、アルミニウム合金、真鍮、銅、チタニウム合金、亜鉛、炭素繊維強化樹脂等を挙げることができるが、これらに限定されるものではない。
【００１２】
また、フェースインサートの高硬度部分および低硬度部分の材質としては、例えば、アイオノマー樹脂、ウレタン樹脂、ウレタン系エラストマー、ポリエステル系エラストマー等の合成樹脂類、スチレンブタジエンラバー、ブタジエンゴム等のゴム類などを挙げることができるが、これらに限定されるものではない。フェースインサートの高硬度部分および低硬度部分の材質として特に好ましいのは、ウレタン系エラストマー、ポリエステル系エラストマー等のエラストマーおよびウレタン樹脂である。
【００１３】
本発明では、高硬度部分のショアＤ硬度を３０以上、特に３５〜１００、低硬度部分のショアＤ硬度を１０以上、特に１５〜６０、高硬度部分のショアＤ硬度と低硬度部分のショアＤ硬度との差を５以上、特に１０〜８５とすることが好ましい。高硬度部分のショアＤ硬度が３０未満であると、硬い打音が得られないことがある。低硬度部分のショアＤ硬度が１０未満であると、柔らかい打感が得られないことがある。高硬度部分のショアＤ硬度と低硬度部分のショアＤ硬度との差が５未満であると、打感を柔らかくし、打音を硬くするという本発明の効果が得られないことがある。
【００１４】
本発明では、高硬度部分および低硬度部分の一方または両方を多層構造とすることができる。高硬度部分のみを多層構造とする場合、高硬度部分のうちのゴルフボールと接する最外層のショアＤ硬度、および上記最外層と低硬度部分との硬度差を前述した値とする。低硬度部分のみを多層構造とする場合、低硬度部分のうちのヘッド本体と接する最内層のショアＤ硬度、および上記最内層と高硬度部分との硬度差を前述した値とする。高硬度部分および低硬度部分の両方を多層構造とする場合、高硬度部分のうちのゴルフボールと接する最外層のショアＤ硬度、低硬度部分のうちのヘッド本体と接する最内層のショアＤ硬度、および上記高硬度部分の最外層と低硬度部分の最内層との硬度差を前述した値とする。
【００１５】
第１発明では、高硬度部分の厚さを中央部から周辺部に向かうにしたがい薄くする。第２発明では、高硬度部分の厚さを中央部から周辺部に向かうにしたがい厚くする。この場合、高硬度部分の厚さは、連続的に変化させてもよく、段階的に変化させてもよい。また、高硬度部分の厚さは、フェースインサートの横断面のみにおいて変化させてもよく、縦断面のみにおいて変化させてもよく、横断面および縦断面の両方において変化させてもよい。
【発明の効果】
【００１６】
本発明のパターヘッドは、ボールをヒットしたときの打感が柔らかく、しかも打音が硬いためパットの距離感をつかみやすい。
【発明を実施するための最良の形態】
【００１７】
以下、本発明の実施形態を図面を参照して説明するが、本発明は下記例に限定されるものではない。
【００１８】
（第１実施形態）
図１は本発明のパターヘッドに用いるフェースインサートの第１実施形態を示す背面図、図２は図１Ａ−Ａ線に沿った横断面図、図３は図１Ｂ−Ｂ線に沿った縦断面図である。本例のフェースインサート１０は、打面を形成する高硬度部分１２と、高硬度部分１２の内面に接合され、高硬度部分１２よりも硬度が低い低硬度部分１４とからなる。また、本例のフェースインサート１０では、高硬度部分１２の厚さが、図２に示した横断面において、中央部から周辺部に向かうにしたがい漸次薄くなっている。なお、高硬度部分１２の厚さは、図３に示した縦断面においては一定である。さらに、本例のフェースインサート１０では、高硬度部分１２の内面に、周縁に沿って枠状体１６が突設され、この枠状体１６によって形成された凹部１８内に低硬度部分１４が配置されている。本例のフェースインサート１０は、例えば図４に示すように、ヘッド本体１００のフェース部１０２に形成した凹部１０４に装着して使用する。
【００１９】
（第２実施形態）
図５は本発明のパターヘッドに用いるフェースインサートの第２実施形態を示す背面図、図６は図５Ａ−Ａ線に沿った横断面図、図７は図５Ｂ−Ｂ線に沿った縦断面図である。本例のフェースインサート２０は、高硬度部分１２の内面の周縁に枠状体を突設しないこと以外は、第１実施形態と同一であるので、図５〜図７において図１〜図３と同一の構成部分には、同一の参照符号を付してその説明を省略する。本例のフェースインサート２０の使用方法は、第１実施形態と同様である。
【００２０】
（第３実施形態）
図８は本発明のパターヘッドに用いるフェースインサートの第３実施形態を示す横断面図、図９は図８Ｂ−Ｂ線に沿った縦断面図である。なお、背面図は図１と同様である。本例のフェースインサート３０は、打面を形成する高硬度部分３２と、高硬度部分３２の内面に接合され、高硬度部分３２よりも硬度が低い低硬度部分３４とからなる。また、本例のフェースインサート３０では、高硬度部分３２の厚さが、図８に示した横断面において、中央部から周辺部に向かうにしたがい漸次厚くなっている。なお、高硬度部分３２の厚さは、図９に示した縦断面においては一定である。さらに、本例のフェースインサート３０では、高硬度部分３２の内面に、周縁に沿って枠状体３６が突設され、この枠状体３６によって形成された凹部３８内に低硬度部分３４が配置されている。本例のフェースインサート３０の使用方法は、第１実施形態と同様である。
【００２１】
（第４実施形態）
図１０は本発明のパターヘッドに用いるフェースインサートの第４実施形態を示す横断面図、図１１は図１０Ｂ−Ｂ線に沿った縦断面図である。なお、背面図は図５と同様である。本例のフェースインサート４０は、高硬度部分３２の内面の周縁に枠状体を突設しないこと以外は、第３実施形態と同一であるので、図１０、図１１において図８、図９と同一の構成部分には、同一の参照符号を付してその説明を省略する。
【実施例】
【００２２】
図１〜図３に示した第１実施形態のフェースインサート１０を図４に示したヘッド本体１００に装着したパターヘッドを用いてパターを作製した。この場合、ヘッド本体の材質はアルミニウム合金、高硬度部分１２の材質はウレタン樹脂（ショアＤ硬度：６０）、低硬度部分１４の材質はウレタン樹脂（ショアＤ硬度：４０）、シャフトの材質は鋼（スチール）とした。また、フェースインサート１０の高さｈは２０ｍｍ、幅ｗは７０ｍｍ、厚さｄは４ｍｍ、中央部における高硬度部分１２の厚さｍ１は３ｍｍ、周縁部における高硬度部分１２の厚さｍ２は２ｍｍ、枠状体１６の幅ｎは２ｍｍ、フェース面ｆの面積は約１２９０ｍｍ２、低硬度部分１４の横断面の面積（凹部１８の平面面積）は約９３０ｍｍ２とした。
【００２３】
次に、得られたパター（実施例）によってパッティングを行い、打感および打音を評価した。ゴルフボールとしては、ブリヂストンスポーツ株式会社製ＴｏｕｒｓｔａｇｅＸ−０１を用いた。また、比較のため、ヘッド本体に凹部を設けず、フェースインサートを装着しないこと以外は実施例と同様のパター（比較例１）、フェースインサートとしてウレタン樹脂（ショアＤ硬度：２５）からなる単層構造のものを用いたこと以外は実施例と同様のパター（比較例２）、高硬度部分にショアＤ硬度６０のウレタン樹脂、低硬度部分にショアＤ硬度５６のウレタン樹脂を用いたこと以外は実施例と同様のパター（比較例３：高硬度部分と低硬度部分のショアＤ硬度差が５未満）を使用して同様のテストを行った。打感および打音の評価は、複数のゴルファーによる官能評価によって行った。結果を表１に示す。
【００２４】
【表１】
2007117635.tif 000003
【００２５】
表１の結果より、本発明のパターヘッドは、ボールをヒットしたときの打感が柔らかく、しかも打音が硬いためパットの距離感をつかみやすいことが確認された。また、実施例のパターは、フェース面の周辺部分（オフセンター）でゴルフボールを打撃した場合でも、柔らかい打感、硬い打音を得ることができるものであった。
【図面の簡単な説明】
【００２６】
【図１】本発明のパターヘッドに用いるフェースインサートの第１実施形態を示す背面図である。
【図２】図１Ａ−Ａ線に沿った横断面図である。
【図３】図１Ｂ−Ｂ線に沿った縦断面図である。
【図４】フェースインサートを装着したパターヘッドの一例を示す分解斜視図である。
【図５】本発明のパターヘッドに用いるフェースインサートの第２実施形態を示す背面図である。
【図６】図５Ａ−Ａ線に沿った横断面図である。
【図７】図５Ｂ−Ｂ線に沿った縦断面図である。
【図８】本発明のパターヘッドに用いるフェースインサートの第３実施形態を示す横断面図である。
【図９】図８Ｂ−Ｂ線に沿った縦断面図である。
【図１０】本発明のパターヘッドに用いるフェースインサートの第４実施形態を示す横断面図である。
【図１１】図１０Ｂ−Ｂ線に沿った縦断面図である。
【符号の説明】
【００２７】
１０  フェースインサート
１２  高硬度部分
１４  低硬度部分
２０  フェースインサート
３０  フェースインサート
３２  高硬度部分
３４  低硬度部分
４０  フェースインサート
【図１】
2007117635.tif 000004
【図２】
2007117635.tif 000005
【図３】
2007117635.tif 000006
【図４】
2007117635.tif 000007
【図５】
2007117635.tif 000008
【図６】
2007117635.tif 000009
【図７】
2007117635.tif 000010
【図８】
2007117635.tif 000011
【図９】
2007117635.tif 000012
【図１０】
2007117635.tif 000013
【図１１】
2007117635.tif 000014